(57)【要約】【課題】記録層の間隔の狭い光情報媒体の各記録層に記録されている情報を正確に読み出す。【解決手段】光検出器５は、光路の中心を原点Ｇとする平面上の直交座標内に重心が原点Ｇと一致し、かつ四辺が直交座標のいずれかの仮想軸線Ｒ２，Ｒ３と平行となるように規定された正方形領域Ｕ０の四隅に配設された４つの迷光検出器３２〜３５と、正方形領域Ｕ０における直交座標の４つの象限内に位置する各分割領域Ｕ２，Ｕ３，Ｕ４，Ｕ１内の迷光検出器３２〜３５を除く領域全体に亘る大きさに形成された４つの受光領域３１ａ〜３１ｄで構成されるメイン検出器３１とを備え、処理部７は、各受光領域３１ａ〜３１ｄでの受光量を示す電気信号Ｓａ〜Ｓｄを各迷光検出器３２〜３５での受光量を示す電気信号Ｓａｓ〜Ｓｄｓで補正して再生信号ＲＦを生成する。【選択図】図３
2009110590.tif 000002
【特許請求の範囲】
【請求項１】
光情報媒体の複数の記録層のうちの１つの記録層に集光された光ビームの当該光情報媒体からの戻り光ビームを当該戻り光ビームの光路に交差する平面上に配設された光検出器に導く光学系と、当該光検出器から出力される受光量を示す電気信号に基づいて当該光情報媒体に記憶された情報を示す再生信号を生成する処理部とを備えた光ピックアップ装置であって、
前記光検出器は、前記光路の中心を原点とする前記平面上の直交座標内に重心が当該原点と一致し、かつ四辺が当該直交座標のいずれかの軸線と平行となるように規定された正方形領域または隅部が面取りされた正方形領域の四隅に配設された４つの迷光検出器と、当該正方形領域における当該直交座標の４つの象限内に位置する各分割領域内の前記迷光検出器を除く領域全体に亘る大きさに形成された４つの受光領域で構成されるメイン検出器とを備え、
前記処理部は、前記各受光領域での受光量を示す電気信号を前記各迷光検出器での受光量を示す電気信号で補正して前記再生信号を生成する光ピックアップ装置。
【請求項２】
前記各迷光検出器は、頂角側の頂点が前記原点に向く二等辺三角形に平面形状が形成されている請求項１記載の光ピックアップ装置。
【請求項３】
前記４つの象限のうちの一の対角象限に含まれる２つの前記迷光検出器および２つの受光領域での受光量を示す前記各電気信号の和と、前記４つの象限のうちの他の対角象限に含まれる２つの前記迷光検出器および２つの受光領域での受光量を示す前記各電気信号の和との差分をフォーカスエラー信号として生成する請求項１または２記載の光ピックアップ装置。
【発明の詳細な説明】
【技術分野】
【０００１】
本発明は、複数の記録層を備えた光情報媒体に記憶された情報を示す再生信号を生成する光ピックアップ装置に関するものである。
【背景技術】
【０００２】
この種の光ピックアップ装置として、下記の特許文献１に開示された光ピックアップ装置が知られている。この光ピックアップ装置は、複数の記録層を有する光情報媒体（多層光情報媒体）に対して主ビームおよび２つの副ビームを照射する光ピックアップ装置であって、これらビームを所望の記録層にそれぞれ合焦させてトラッキング制御を行い得るように、図１３に示すように、主ビームについての所望の記録層（合焦記録層）からの反射主ビームのメイン反射光スポットＳＰａを受光するメイン受光部５２と、各副ビームについての合焦記録層からの反射副ビームのサブ反射光スポットＳＰｂ，ＳＰｃを受光する２つのサブ受光部５３，５４と、主ビームおよび副ビームについての合焦記録層以外の記録層（非合焦記録層）からの迷光（非合焦反射主ビームおよび非合焦反射副ビーム）を受光する迷光受光部５５〜６０とを有する受光素子５１を備えて構成されている。
【０００３】
具体的には、メイン受光部５２は、４分割された受光面Ａ０〜Ｄ０で構成されて、主ビームの反射光（戻りビーム）についてのメイン反射光スポットＳＰａを受光して、受光面Ａ０〜Ｄ０の各受光量に応じた検出信号Ａ０〜Ｄ０を出力する。サブ受光部５３は、光情報媒体の各記録層における信号列の配列方向（すなわちトラック方向。同図中の左右方向）に略平行な分割線で２分割された受光面Ｅ０，Ｆ０を備え、各受光面Ｅ０，Ｆ０で受光するサブ反射光スポットＳＰｂの受光量に応じた検出信号Ｅ０，Ｆ０を出力する。サブ受光部５４は、各記録層における信号列の配列方向に略平行な分割線で２分割された受光面Ｇ０，Ｈ０を備え、各受光面Ｇ０，Ｈ０で受光するサブ反射光スポットＳＰｃの受光量に応じた検出信号Ｇ０，Ｈ０を出力する。
【０００４】
一方、迷光受光部５５，５６は、サブ受光部５３の近傍に、サブ受光部５３を挟んでトラック方向に沿って一直線上に配設されている。この場合、迷光受光部５５はトラック方向とほぼ平行な分割線で２分割された受光面Ｅ１，Ｆ１を備え、各受光面Ｅ１，Ｆ１で受光する迷光の受光量に応じた迷光検出信号Ｅ１，Ｆ１を生成する。同様にして、迷光受光部５６は、トラック方向とほぼ平行な分割線で２分割された受光面Ｅ２，Ｆ２を備え、各受光面Ｅ２，Ｆ２で受光する迷光の受光量に応じた迷光検出信号Ｅ２，Ｆ２を生成する。また、各受光面Ｅ１，Ｅ２の面積は同面積に規定されると共に、各受光面Ｅ１，Ｅ２の合計面積が受光面Ｅ０と同一となるように規定されている。同様にして、各受光面Ｆ１，Ｆ２の面積も同面積に規定されると共に、各受光面Ｆ１，Ｆ２の合計面積が受光面Ｆ０と同一となるように規定されている。
【０００５】
また、迷光受光部５７，５８は、上記した迷光受光部５５，５６の各受光面Ｅ１，Ｆ１、Ｅ２，Ｆ２と同様にして分割された受光面Ｇ１，Ｈ１、および受光面Ｇ２，Ｈ２を備え、サブ受光部５３に対する迷光受光部５５，５６と同様にして、サブ受光部５４の近傍に配設されて、迷光の受光量に応じた迷光検出信号Ｇ１，Ｈ１，Ｇ２，Ｈ２を生成する。
【０００６】
また、迷光受光部５９，６０は、上記した迷光受光部５５，５６の各受光面Ｅ１，Ｆ１、Ｅ２，Ｆ２と同様にして分割された受光面Ａ１，Ｄ１、および受光面Ｂ１，Ｃ１を備え、サブ受光部５３に対する迷光受光部５５，５６と同様にして、メイン受光部５２の近傍に配設されて、迷光の受光量に応じた迷光検出信号Ａ１，Ｂ１，Ｃ２，Ｄ２を生成する。また、各受光面Ａ１，Ｂ１，Ｃ１，Ｄ１の各面積は、各受光面Ａ０〜Ｄ０の面積と同面積に規定されている。
【０００７】
この受光素子を備えた光ピックアップ装置では、検出信号Ｅ０を迷光検出信号Ｅ１，Ｅ２で、検出信号Ｆ０を迷光検出信号Ｆ１，Ｆ２で、検出信号Ｇ０を迷光検出信号Ｇ１，Ｇ２で、検出信号Ｈ０を迷光検出信号Ｈ１，Ｈ２でそれぞれ補正すると共に、検出信号Ａ０〜Ｄ０を迷光検出信号Ａ１〜Ｄ１で補正し、補正された各検出信号Ａ０〜Ｄ０，Ｅ０〜Ｈ０を用いて差動プッシュプル信号ＤＰＰを算出して、トラッキング制御を実施している。この光ピックアップ装置によれば、各検出信号Ａ０〜Ｄ０を各迷光検出信号Ａ１〜Ｄ１で、また各検出信号Ｅ０，Ｆ０，Ｇ０，Ｈ０を対応する各迷光検出信号Ｅ１，Ｅ２，Ｆ１，Ｆ２，Ｇ１，Ｇ２，Ｈ１，Ｈ２でそれぞれ補正することにより、各検出信号Ａ０〜Ｄ０，Ｅ０〜Ｈ０に含まれる迷光によるノイズ成分をキャンセルすることができ、高精度なトラッキング制御が可能となっている。
【０００８】
また、この特許文献１には開示されてはいないが、この種の光ピックアップ装置（メイン受光部５２が４つに等分割された光ピックアップ装置）では、迷光検出信号Ａ１〜Ｄ１で補正された各検出信号Ａ０〜Ｄ０を加算することにより、光情報媒体に記憶された情報を示す再生信号を迷光の影響をキャンセルした状態で生成している。具体的には、下記式に基づいて、再生信号ＲＦを生成している。
ＲＦ＝（Ａ０−ｋ０×Ａ１）＋（Ｂ０−ｋ０×Ｂ１）＋（Ｃ０−ｋ０×Ｃ１）
＋（Ｄ０−ｋ０×Ｄ１）
ここで、ｋ０は補正係数である。
【特許文献１】特開２００７−１７９７１１号公報（第６−１０頁、第５図）
【発明の開示】
【発明が解決しようとする課題】
【０００９】
ところが、従来の光ピックアップ装置には、以下の問題点がある。すなわち、この光ピックアップ装置では、図１３に示すように、迷光の照射領域ＳＰｘが、メイン反射光スポットＳＰａやサブ反射光スポットＳＰｂ、ＳＰｃに比べ極めて広く、受光素子５１のメイン受光部５２および各サブ受光部５３，５４全体に広く入射してその検出信号Ａ０〜Ｄ０，Ｅ０〜Ｈ０に影響を与えることを条件として、迷光によるノイズ成分のキャンセルを行っている。しかしながら、この光ピックアップ装置では、センサレンズ（シリンドリカルレンズ）などによって光検出器への光ビームに対して非点収差を付与する構成のため、合焦記録層以外の記録層（非合焦記録層）からの迷光（非合焦反射主ビームおよび非合焦反射副ビーム）の照射領域（迷光の形状）は円形にならず、図１４に示すように楕円となる。また、迷光の照射領域の大きさは、合焦記録層と非合焦記録層との間の距離に応じて変化する（具体的には、距離が短くなるに従って小さくなる）。このため、光情報媒体によっては、図１４に示すように、主ビームについての迷光の照射領域ＳＰｘは、メイン受光部５２全体を覆うものの、メイン受光部５２の近傍に配設された迷光受光部５９，６０の各受光面Ａ１〜Ｄ１については全体にかからずに、一部にのみかかる状態となることもあり、このような状態においては、従来の光ピックアップ装置では、メイン受光部５２の各受光面Ａ０〜Ｄ０の受光量を示す検出信号Ａ０〜Ｄ０に含まれる迷光を迷光受光部５９，６０から出力される迷光検出信号Ａ１〜Ｄ１でキャンセルすることができない。したがって、従来の光ピックアップ装置には、記録層の間隔の狭い光情報媒体については、メイン受光部から出力される検出信号に含まれる迷光をキャンセルできないため、この光情報媒体の記録層に記録されている情報を正確に読み出すことが困難となるという問題点が存在している。
【００１０】
本発明は、かかる問題点を解決すべくなされたものであり、記録層の間隔の狭い光情報媒体の各記録層に記録されている情報を正確に読み出し得る光ピックアップ装置を提供することを主目的とする。
【課題を解決するための手段】
【００１１】
上記目的を達成すべく本発明に係る光ピックアップ装置は、光情報媒体の複数の記録層のうちの１つの記録層に集光された光ビームの当該光情報媒体からの戻り光ビームを当該戻り光ビームの光路に交差する平面上に配設された光検出器に導く光学系と、当該光検出器から出力される受光量を示す電気信号に基づいて当該光情報媒体に記憶された情報を示す再生信号を生成する処理部とを備えた光ピックアップ装置であって、前記光検出器は、前記光路の中心を原点とする前記平面上の直交座標内に重心が当該原点と一致し、かつ四辺が当該直交座標のいずれかの軸線と平行となるように規定された正方形領域または隅部が面取りされた正方形領域の四隅に配設された４つの迷光検出器と、当該正方形領域における当該直交座標の４つの象限内に位置する各分割領域内の前記迷光検出器を除く領域全体に亘る大きさに形成された４つの受光領域で構成されるメイン検出器とを備え、前記処理部は、前記各受光領域での受光量を示す電気信号を前記各迷光検出器での受光量を示す電気信号で補正して前記再生信号を生成する。
【００１２】
また、本発明に係る光ピックアップ装置は、前記各迷光検出器は、頂角側の頂点が前記原点に向く二等辺三角形に平面形状が形成されている。
【００１３】
また、本発明に係る光ピックアップ装置は、前記４つの象限のうちの一の対角象限に含まれる２つの前記迷光検出器および２つの受光領域での受光量を示す前記各電気信号の和と、前記４つの象限のうちの他の対角象限に含まれる２つの前記迷光検出器および２つの受光領域での受光量を示す前記各電気信号の和との差分をフォーカスエラー信号として生成する。
【発明の効果】
【００１４】
本発明に係る光ピックアップ装置では、光検出器は、戻り光ビームの光路の中心を原点とする平面上の直交座標内に重心が原点と一致し、かつ四辺が直交座標のいずれかの仮想軸線と平行となるように規定された正方形領域の四隅に配設された４つの迷光検出器と、正方形領域における直交座標の各象限内に位置する各分割領域内の迷光検出器を除く領域全体に亘る大きさに形成された４つの受光領域で構成されるメイン検出器とを備えて構成され、処理部は、各受光領域での受光量を示す電気信号を各迷光検出器での受光量を示す電気信号で補正して再生信号を生成する。
【００１５】
したがって、この光ピックアップ装置によれば、すべての迷光検出器をメイン検出器と共に１つの正方形領域内に配設したことにより、各迷光検出器を含む光検出器全体の外形を小さくできるため、各記録層の間隔が狭いことに起因して合焦記録層の一つ奥側に位置する非合焦記録層からのビームスポット（短軸長が最短となるビームスポット）および合焦記録層の一つ手前側に位置する非合焦記録層からのビームスポット（長軸長が最短となるビームスポット）の外形が小さくなる光情報媒体に対しても、これら２つのビームスポット内に光検出器全体を含ませるようにでき、これによって迷光成分の含まれない再生信号を生成することができる結果、光情報媒体に記憶されている情報を正確に読み出すことができる。
【００１６】
また、本発明に係る光ピックアップ装置によれば、頂角側の頂点が原点に向く二等辺三角形に各迷光検出器の平面形状を形成したことにより、光検出器の外形をより小さく、つまり各対角線の長さをより短くできる。このため、合焦記録層の一つ奥側に位置する非合焦記録層および一つ手前側に位置する非合焦記録層からのビームスポットがより外形の小さなビームスポットであっても、その中に光検出器全体を含ませることができる結果、より層間隔の狭い光情報媒体に対しても迷光成分の含まれない再生信号を生成することができ、これにより、光情報媒体に記憶されている情報を正確に読み出すことができる。
【００１７】
また、本発明に係る光ピックアップ装置では、４つの象限のうちの一の対角象限に含まれる２つの迷光検出器および２つの受光領域での受光量を示す各電気信号の和と、４つの象限のうちの他の対角象限に含まれる２つの迷光検出器および２つの受光領域での受光量を示す各電気信号の和との差分をフォーカスエラー信号として生成する。したがって、この光ピックアップ装置によれば、デフォーカス時における合焦記録層からの戻り光ビームのビームスポットの外形が大きいときでも、正確なフォーカスエラー信号を生成できるため、対物レンズから出射される光ビームを所望の記録層に良好に集光させることができる。
【発明を実施するための最良の形態】
【００１８】
以下、本発明に係る光ピックアップ装置の最良の形態について、添付図面を参照して説明する。なお、一例として、再生信号、トラッキングエラー信号およびフォーカスエラー信号の生成を１つの光ビームに基づいて行う１ビーム方式の光ピックアップ装置を例に挙げて説明する。
【００１９】
最初に、光ピックアップ装置１の構成について、図面を参照して説明する。
【００２０】
図１に示す光ピックアップ装置１は、例えば、ＤＶＤ−Ｒ、ＤＶＤ＋Ｒ、ＤＶＤ−ＲＷ、ＤＶＤ＋ＲＷ、ＤＶＤ−ＲＡＭ、ＢＤ（Ｂｌｕ−ｒａｙ  Ｄｉｓｃ（登録商標））−Ｒ、ＢＤ−ＲＥ、ＨＤ（Ｈｉｇｈ  Ｄｅｆｉｎｉｔｉｏｎ）−Ｒ、ＨＤ−ＲＷ、ＨＤ−ＲＡＭなどの記録型ＤＶＤや、ＣＤ−ＲおよびＣＤ−ＲＷなどの記録型ＣＤのように、記録および再生の双方が行われる光情報媒体に対する記録・再生動作、およびＤＶＤ−ＲＯＭ、ＢＤ−ＲＯＭおよびＨＤ−ＲＯＭやＣＤ−ＲＯＭなどの再生のみが行われる光情報媒体（多層光情報媒体）に対する再生動作を少なくとも実行するドライブ装置に組み込み可能に構成されている。具体的には、この光ピックアップ装置１は、同図に示すように、レーザビームなどの光ビームを出射する光源２、対物レンズ３、レンズ駆動部４、光検出器５、光学系６および処理部７を備え、図２に示すように、光情報媒体１１に形成された複数の記録層（本例では一例として４つの記録層Ｌ０，Ｌ１，Ｌ２，Ｌ３）のうちの任意の１つの記録層に光ビームを集光させると共に、光ビームを集光させた記録層（合焦記録層）に形成されているトラック上に光ビームのビームスポットを精度良く位置させ得るように構成されている。なお、光情報媒体１１に形成された各記録層Ｌ３，Ｌ２，Ｌ１，Ｌ０は、例えば、図２に示すように、光情報媒体１１における光ビームの入射面側から、この順で、かつ同じ層間隔ｘで配置されているものとする。
【００２１】
対物レンズ３は、光学系６から入射した光ビーム（平行光状態の光ビーム）を光情報媒体１１上に集光させると共に、光情報媒体１１からの戻り光ビームを平行光に戻す機能を備えている。レンズ駆動部４は、処理部７から出力される後述のフォーカスエラー信号ＦＥに基づいて、図２に示すように、対物レンズ３を光情報媒体１１に対して接離動させて光情報媒体１１に形成された複数の記録層（同図では一例として４つの記録層Ｌ０，Ｌ１，Ｌ２，Ｌ３）のうちの所望の１つの記録層に光ビームを集光させる。また、レンズ駆動部４は、処理部７から出力される後述のトラッキングエラー信号ＴＥに基づいて、対物レンズ３を光情報媒体１１の径方向に移動させて、光ビームを集光させた記録層に形成されているトラック上に光ビームのビームスポットを位置させる。
【００２２】
光検出器５は、図３に示すように、メイン検出器３１、および４つの迷光検出器３２，３３，３４，３５を備えて構成されて、図１に示すように、光学系６から出射される戻り光ビームの光路Ｒ１に交差する（一例として垂直な）平面ＰＬ上に配設されている。この場合、４つの迷光検出器３２，３３，３４，３５は、図４に示すように、光路Ｒ１の中心Ｇを原点（以下、「原点Ｇ」ともいう）とする平面ＰＬ上の直交座標（仮想軸線Ｒ２，Ｒ３で規定される直交座標）内に重心（対角線Ｒ４，Ｒ５の交点）が原点Ｇと一致し、かつ四辺が直交座標のいずれかの軸線（仮想軸線Ｒ２，Ｒ３）と平行となるように規定された正方形領域Ｕ０内の四隅に配設されている。一例として、各迷光検出器３２，３３，３４，３５は、平面形状が同一形状（本例では一例として正方形）で、かつ同一面積（同一受光面積）に形成されて、このうちの迷光検出器３２，３４は、正方形領域Ｕ０の四隅のうちの直交座標の第２および第４象限内の各隅部に、それぞれの対角線が正方形領域Ｕ０の対角線Ｒ４上に位置した状態で配設されている。また、迷光検出器３３，３５は、正方形領域Ｕ０の四隅のうちの直交座標の第３および第１象限内の各隅部に、それぞれの対角線が正方形領域Ｕ０の対角線Ｒ５上に位置した状態で配設されている。この場合、正方形領域Ｕ０の各対角線Ｒ４，Ｒ５の長さは、光学系６から投射される合焦記録層からの戻り光ビームのビームスポットＳＰについての直径ｒのｗ１倍に規定されている。
【００２３】
一方、メイン検出器３１は、図３に示すように、迷光検出器３２に対応する第１受光領域３１ａ、迷光検出器３３に対応する第２受光領域３１ｂ、迷光検出器３４に対応する第３受光領域３１ｃ、および迷光検出器３５に対応する第４受光領域３１ｄを備えている。各受光領域３１ｄ，３１ａ，３１ｂ，３１ｃは、図５に示すように、正方形領域Ｕ０における直交座標の第１〜第４象限内に位置する各分割領域Ｕ１，Ｕ２，Ｕ３，Ｕ４内の迷光検出器３５，３２，３３，３４（同図では各受光領域３１ａ〜３１ｄの形状を明確にするために各迷光検出器３２〜３５は図示していない）を除く各領域（以下、「残部領域」ともいう）全体に亘る大きさに形成されている。この場合、各分割領域Ｕ１，Ｕ２，Ｕ３，Ｕ４は同一形状および同一面積であり、かつ上記したように各迷光検出器３５，３２，３３，３４も同一形状および同一面積であるため、分割領域Ｕ１，Ｕ２，Ｕ３，Ｕ４内の各残部領域も同一形状および同一面積となる結果、この各残部領域全体に亘って配設された各受光領域３１ｄ，３１ａ，３１ｂ，３１ｃも、互いに同一形状および同一面積（同一受光面積）に形成されている。このように構成されたメイン検出器３１および各迷光検出器３２〜３５を備えた光検出器５は、図３に示すように、各受光領域３１ａ，３１ｂ，３１ｃ，３１ｄでの戻り光ビームの受光量を示す電気信号Ｓａ，Ｓｂ，Ｓｃ，Ｓｄ、および各迷光検出器３２，３３，３４，３５での戻り光ビームの受光量を示す電気信号Ｓａｓ，Ｓｂｓ，Ｓｃｓ，Ｓｄｓを出力する。
【００２４】
光学系６は、図１に示すように、一例として、偏光ビームスプリッタ２１、コリメータレンズ２２、１／４波長板２３およびセンサレンズ（シリンドリカルレンズ）２４を備え、光源２から出射された光ビームを対物レンズ３に入射させると共に、対物レンズ３で受光した光情報媒体１１からの戻り光ビームを光検出器５に対して（光検出器５上に）非点収差を付与した状態で投射する。本例では、対物レンズ３および光学系６全体の復路光学倍率はβ１に規定されている。また、この光学系６では、戻り光ビームに非点収差を付加するセンサレンズ２４（レンズ倍率：β２）が、センサレンズ２４上に投射された戻り光ビームのビームスポットのシフト方向（対物レンズ３が光情報媒体１１の径方向にシフトしたときのビームスポットの移動方向）に対して母線が４５°傾くように配設されている。
【００２５】
また、光学系６は、対物レンズ３によって光ビームが集光された光情報媒体１１における所望の記録層からの戻り光ビームのビームスポットＳＰを、図３に示すように、メイン検出器３１の中心位置に位置し、かつビームスポットＳＰに含まれている領域Ｐ１，Ｐ２（±１次回折光による明暗の変化が出現する領域）のうちの領域Ｐ１が第１受光領域３１ａおよび第４受光領域３１ｄ側に位置し、領域Ｐ２が第２受光領域３１ｂおよび第３受光領域３１ｃ側に位置するように投射する。これにより、対物レンズ３が光情報媒体１１の径方向にシフトしたときには、ビームスポットＳＰはメイン検出器３１上において仮想軸線Ｒ２に沿って平行移動する。また、光学系６は、図６に示すように、この所望の記録層（合焦記録層）からの戻り光ビームについてのビームスポットＳＰについては、円形（最小のスポット径ｒ）で投射する（同図中の位置ＦＰ上にメイン検出器３１が位置した状態）。このため、この状態では後述する式（２）で算出されるフォーカスエラー信号ＦＥは、そのレベルがゼロとなる。
【００２６】
一方、光学系６は、光情報媒体１１における合焦記録層を基準として手前側に位置する記録層からの戻り光ビーム（迷光）のビームスポットＳＰについては、図６に示すように、センサレンズ２４を介して、光検出器５に対して、仮想軸線Ｒ２を基準として長軸が左斜め方向に４５°傾いた楕円形、つまり第２象限および第４象限の対角象限に亘って長く延びる（この対角象限内に長軸が位置する）楕円形で投射する。このため、ビームスポットＳＰは、メイン検出器３１の各受光領域３１ａ〜３１ｄのうちの第２象限および第４象限の対角象限に位置する第１受光領域３１ａおよび第３受光領域３１ｃに多く投射されるため、フォーカスエラー信号ＦＥは、そのレベルが正極性となる。特に、合焦記録層からその手前側に距離γ１だけずれた位置からの戻り光ビームのビームスポットＳＰについては、光学系６は、図６に示すように、仮想軸線Ｒ２を基準として左斜め方向に４５°傾いた線形で光検出器５に投射する。この状態では、ビームスポットＳＰは、第２象限および第４象限の対角象限に位置する第１受光領域３１ａおよび第３受光領域３１ｃにのみ投射されるため、フォーカスエラー信号ＦＥは、そのレベルが最大（ピーク）となる。
【００２７】
他方、光学系６は、光情報媒体１１における合焦記録層を基準として奥側に位置する記録層からの戻り光ビーム（迷光）のビームスポットＳＰについては、図６に示すように、センサレンズ２４を介して、光検出器５に対して、仮想軸線Ｒ２を基準として長軸が右斜め方向に４５°傾いた楕円形、つまり第１象限および第３象限の対角象限に亘って長く延びる楕円形で投射する。このため、ビームスポットＳＰは、メイン検出器３１の各受光領域３１ａ〜３１ｄのうちの第１象限および第３象限の対角象限に位置する第４受光領域３１ｄおよび第２受光領域３１ｂに多く投射されるため、フォーカスエラー信号ＦＥは、そのレベルが負極性となる。特に、合焦記録層からその奥側に距離γ２（＝γ１×β２）だけずれた位置からの戻り光ビームのビームスポットＳＰについては、光学系６は、図６に示すように、仮想軸線Ｒ２を基準として右斜め方向に４５°傾いた線形で光検出器５に投射する。この状態では、ビームスポットＳＰは、第１象限および第３象限の対角象限に位置する第４受光領域３１ｄおよび第２受光領域３１ｂにのみ投射されるため、フォーカスエラー信号ＦＥは、そのレベルが最大（ピーク）となる。また、このフォーカスエラー信号ＦＥにおける正極性のピークと負極性のピークとの間の波形を利用してフォーカス制御が行われるため、各ピーク間（距離ａ１（＝γ１＋γ２）の範囲内）はフォーカスの引き込み範囲（キャプチャーレンジ）と呼ばれている。なお、光情報媒体１１内での距離γ１，γ２およびａ１（＝γ１＋γ２）は、光検出器５側では、図６に示すように、おおよそ復路光学倍率β１の二乗（＝ｋ）を乗じた長さで表され、メイン検出器３１に投射される合焦記録層からのビームスポットＳＰの直径（スポット径）ｒ、合焦記録層の一つ奥側に位置する非合焦記録層からのビームスポットＳＰｒの短軸長ａ、および合焦記録層の一つ手前側に位置する非合焦記録層からのビームスポットＳＰｆの短軸長ｂと、ｋ倍された各γ１，γ２，ａ１，ｘとの間には同図に示す関係が成り立っている。
【００２８】
また、光学系６では、センサレンズ２４がレンズとして機能するときの光学系６の焦点距離の方が、センサレンズ２４がレンズとして機能しないときの光学系６の焦点距離よりも必ず短くなり、また光情報媒体１１の層間隔ｘが一定であるため、ビームスポットＳＰｆの短軸長ｂは、ビームスポットＳＰｒの短軸長ａよりも必ず長くなる。したがって、光学系６から光検出器５に投射される迷光のビームスポットＳＰのうちの短軸長が最短となるビームスポットＳＰは、合焦記録層が記録層Ｌ３，Ｌ２，Ｌ１のいずれかであるときにはビームスポットＳＰｒ（短軸長ａ）となり、合焦記録層が記録層Ｌ０のときにはビームスポットＳＰｆ（短軸長ｂ）となる。また、光学系６は、下記式（１）で表されるように短軸長ａが正方形領域Ｕ０の対角線の長さ（ｗ１×ｒ）のｗ２（≧１）倍となるようにビームスポットＳＰｒを光検出器５上に投射する。
ａ＝ｒ×ｗ１×ｗ２      ・・・・・・・・・・・・・・・・・・・・・・・（１）
したがって、光学系６は、すべての迷光のビームスポットＳＰを光検出器５全体にかかるように投射する。また、見方を変えれば、光検出器５は、すべての迷光のビームスポットＳＰの各投射領域の共通部分に配置されている。
【００２９】
処理部７は、一例として多チャンネル分のアナログ信号（本例では電気信号Ｓａ〜Ｓｄ，Ｓａｓ〜Ｓｄｓ）をディジタルデータに変換するＡ／Ｄ変換機能を備えたＤＳＰ（Ｄｉｇｉｔａｌ  Ｓｉｇｎａｌ  Ｐｒｏｃｅｓｓｏｒ）で構成されて、光検出器５から出力される電気信号Ｓａ〜Ｓｄ，Ｓａｓ〜Ｓｄｓをディジタルデータにそれぞれ変換し、これらディジタルデータに基づいて、フォーカスエラー信号ＦＥを生成するフォーカスエラー信号生成処理、トラッキングエラー信号ＴＥを生成するトラッキングエラー信号生成処理、再生信号ＲＦを生成する再生信号生成処理、および光情報媒体１１における合焦記録層を検出する合焦記録層検出処理を実行する。
【００３０】
本例では、処理部７は、フォーカスエラー信号生成処理では、下記式（２）で示される演算を行ってフォーカスエラー信号ＦＥを生成し、トラッキングエラー信号生成処理では、下記式（３）で示される演算を行ってトラッキングエラー信号ＴＥを生成し、再生信号生成処理では、下記式（４）で示される演算を行って再生信号ＲＦを生成する。この場合、フォーカスエラー信号ＦＥは、デフォーカス時における合焦記録層からの戻り光ビームのビームスポットＳＰの外形が小さいときには、式（Ｓａ＋Ｓｃ−Ｓｂ−Ｓｄ）で示される演算を行うことでも算出し得るが、ビームスポットＳＰの外形が大きいときには図３において破線で示すように正方形領域Ｕ０の隅部に配設された迷光検出器３２〜３５にかかる場合もある。このため、本例では、より正確なフォーカスエラー信号ＦＥの生成を行うべく、４つの象限のうちの一の対角象限（第２象限および第４象限）に含まれる２つの迷光検出器３２，３４および２つの受光領域３１ａ，３１ｃでの受光量を示す各電気信号Ｓａｓ，Ｓｃｓ，Ｓａ，Ｓｃの和と、４つの象限のうちの他の対角象限（第３象限および第１象限）に含まれる２つの迷光検出器３３，３５および２つの受光領域３１ｂ，３１ｄでの受光量を示す各電気信号Ｓｂｓ，Ｓｄｓ，Ｓｂ，Ｓｄの和との差分をフォーカスエラー信号ＦＥとして生成する下記式（２）を用いている。
【００３１】
また、処理部７は、光情報媒体１１内での合焦位置においてピークを示すプルイン信号（＝Ｓａ＋Ｓｂ＋Ｓｃ＋Ｓｄ）を生成すると共にこのピークをカウントすることにより、記録層Ｌ３〜Ｌ０のうちの後述するフォーカスの引き込み範囲（キャプチャーレンジ）に含まれる記録層（合焦記録層）を検出する。なお、発明の理解を容易にするため、下記の各式では、ディジタルデータに変換される前の各電気信号の記号（「Ｓａ」など）を使用して演算内容を表している。
【００３２】
ＦＥ＝（Ｓａ＋Ｓｃ＋Ｓａｓ＋Ｓｃｓ）−（Ｓｂ＋Ｓｄ＋Ｓｂｓ＋Ｓｄｓ）
・・・・・・・・・・・・・・（２）
ＴＥ＝Ｓａ＋Ｓｄ−（Ｓｂ＋Ｓｃ）          ・・・・・・・・・・・・・・（３）
ＲＦ＝Ｓａ＋Ｓｂ＋Ｓｃ＋Ｓｄ−ｋ１×（Ｓａｓ＋Ｓｂｓ＋Ｓｃｓ＋Ｓｄｓ）
・・・・・・・・・・・・・・（４）
【００３３】
ここで、ｋ１は既知の補正係数であり、メイン検出器３１の総受光面積をすべての迷光検出器３２〜３５の総受光面積で除算して得られる係数である。なお、本例では、各受光領域３１ａ〜３１ｄは同一受光面積に規定され、かつ各迷光検出器３２〜３５も同一受光面積に規定されているため、補正係数ｋ１は、メイン検出器３１の各受光領域３１ａ〜３１ｄのうちの任意の１つの面積を各迷光検出器３２〜３５のうちの任意の１つの面積で除算して得られる係数でもある。例えば、分割領域Ｕ１，Ｕ２，Ｕ３，Ｕ４の一辺の長さを「２」とし、各迷光検出器３２〜３５の一辺の長さをその半分（「１」）としたときには、各迷光検出器３２〜３５の面積は「１」となり、各分割領域Ｕ１〜Ｕ４の面積は「４」となることから、各受光領域３１ａ〜３１ｄの面積は「３」となり、補正係数ｋ１は「３」となる。
【００３４】
次に、光ピックアップ装置１によって情報が読み取られる光情報媒体１１における各記録層Ｌ０〜Ｌ３の間隔（層間隔ｘ）について説明する。この光情報媒体１１では、層間隔ｘが、下記の式（５），（６）を満たすように構成されている。また、各式（５），（６）を満足する最小のｘに層間隔を規定することで、後述するように正確な再生信号ＲＦを生成しつつ、各記録層Ｌ３〜Ｌ０の間隔を最短にすることができるようになっている。したがって、光情報媒体１１の厚みを薄くすることができたり、また同じ厚みの光情報媒体であれば、記録層の数をより多くすることができる（より多層化することができる）。
ｘ≧（１＋ｗ１×ｗ２）×γ２      ・・・・・・・・・・・・・・・・・  （５）
ｘ≧２×ａ１      ・・・・・・・・・・・・・・・・・・・・・・・・・  （６）
【００３５】
次に、光情報媒体１１の各記録層Ｌ０〜Ｌ３から情報を読み出すときの光ピックアップ装置１によるフォーカス制御動作、トラッキング制御動作および再生信号ＲＦの生成動作について説明する。
【００３６】
まず、光ピックアップ装置１では、処理部７が、レンズ駆動部４を制御することによって対物レンズ３を光情報媒体１１に対して接離動させて、各記録層Ｌ０〜Ｌ３のうちの情報を読み出す記録層（所望の記録層）に対物レンズ３から出射される光ビームを集光させる。この際、処理部７は、プルイン信号のピークをカウントしつつ、所望の記録層がフォーカスエラー信号ＦＥの引き込み範囲ａ１内に位置するように対物レンズ３を接離動させる。次いで、処理部７は、上記式（２）に基づいて生成したフォーカスエラー信号ＦＥのレベルがゼロになるように、レンズ駆動部４を制御して対物レンズ３の光情報媒体１１に対する距離を微調する。これにより、対物レンズ３から出射される光ビームが所望の記録層に集光される。続いて、処理部７は、上記式（３）に基づいて生成したトラッキングエラー信号ＴＥのレベルがゼロになるように、レンズ駆動部４を制御して対物レンズ３を光情報媒体１１の径方向に移動させる。これにより、対物レンズ３から光情報媒体１１の所望の記録層に照射されたビームスポットが、この記録層に形成されているトラック上に位置させられる。
【００３７】
この状態に移行した後に、処理部７は、上記式（４）に基づいて再生信号ＲＦの生成を開始する。この場合、上記したように、光学系６は、図７に示すように、すべての迷光のビームスポットＳＰが光検出器５全体にかかるように投射する。なお、図７では、発明の理解を容易にするため、迷光のビームスポットＳＰとして、短軸長が最短となるビームスポットＳＰｒ（短軸長ａ）、および短軸長が次に短くなるビームスポットＳＰｆ（短軸長ｂ）のみを示している。このため、光検出器５はすべての非合焦記録層からの迷光を常に受光する状態となっている。
【００３８】
また、処理部７は、合焦記録層からの情報の読み出しに際しては、上記した式（４）を使用して再生信号ＲＦを生成する。この場合、４つの受光領域３１ａ〜３１ｄで生成される各電気信号Ｓａ〜Ｓｄの合計（Ｓａ＋Ｓｂ＋Ｓｃ＋Ｓｄ）から各迷光検出器３２〜３５で生成される各電気信号の和（Ｓａｓ＋Ｓｂｓ＋Ｓｃｓ＋Ｓｄｓ）に補正係数ｋ１を乗算したものを減算することにより、各電気信号Ｓａ〜Ｓｄの合計（Ｓａ＋Ｓｂ＋Ｓｃ＋Ｓｄ）に含まれている迷光成分がキャンセルされる。したがって、処理部７は、正確な再生信号ＲＦを生成する。
【００３９】
このように、この光ピックアップ装置１では、４つの迷光検出器３２〜３５は、戻り光ビームの光路Ｒ１の中心Ｇを原点とする平面ＰＬ上の直交座標内に重心が原点Ｇと一致し、かつ四辺が直交座標のいずれかの仮想軸線Ｒ２，Ｒ３と平行となるように規定された正方形領域Ｕ０の四隅に配設され、メイン検出器３１の４つの受光領域３１ａ〜３１ｄは、正方形領域Ｕ０における直交座標の各象限内に位置する各分割領域Ｕ２，Ｕ３，Ｕ４，Ｕ１内の迷光検出器３２，３３，３４，３５を除く領域全体に亘る大きさに形成されて、処理部７は、受光領域３１ａ〜３１ｄで生成される各電気信号Ｓａ〜Ｓｄの合計（Ｓａ＋Ｓｂ＋Ｓｃ＋Ｓｄ）から各迷光検出器３２〜３５で生成される各電気信号の和（Ｓａｓ＋Ｓｂｓ＋Ｓｃｓ＋Ｓｄｓ）に補正係数ｋ１を乗算したものを減算して迷光成分の含まれない再生信号ＲＦを生成する。
【００４０】
したがって、この光ピックアップ装置１によれば、すべての迷光検出器３２〜３５をメイン検出器３１と共に１つの正方形領域Ｕ０内に配設したことにより、迷光検出器３２〜３５を含む光検出器５全体の外形を小さくできるため、各記録層の間隔が狭いことに起因して合焦記録層の一つ奥側に位置する非合焦記録層からのビームスポットＳＰｒ（短軸長ａが最短となるビームスポット）の外形が小さくなる光情報媒体に対しても、このビームスポットＳＰｒ内に光検出器５全体を含ませるようにでき、これによってすべての迷光のビームスポットＳＰ内に光検出器５全体を含ませるようにできるため、これによって迷光成分の含まれない再生信号ＲＦを生成することができる結果、光情報媒体１１に記憶されている情報を正確に読み出すことができる。
【００４１】
また、この光ピックアップ装置１では、４つの象限のうちの一の対角象限（第２象限および第４象限）に含まれる２つの迷光検出器３２，３４および２つの受光領域３１ａ，３１ｃでの受光量を示す各電気信号Ｓａｓ，Ｓｃｓ，Ｓａ，Ｓｃの和と、４つの象限のうちの他の対角象限（第３象限および第１象限）に含まれる２つの迷光検出器３３，３５および２つの受光領域３１ｂ，３１ｄでの受光量を示す各電気信号Ｓｂｓ，Ｓｄｓ，Ｓｂ，Ｓｄの和との差分をフォーカスエラー信号ＦＥとして生成する。したがって、この光ピックアップ装置１によれば、デフォーカス時における合焦記録層からの戻り光ビームのビームスポットＳＰの外形が大きいときでも、正確なフォーカスエラー信号ＦＥを生成できるため、対物レンズ３から出射される光ビームを所望の記録層に良好に集光させることができる。
【００４２】
なお、本発明は、上記の構成に限定されない。例えば、上記の例では、正方形領域Ｕ０を四隅が直角に形成された正方形とし、かつ各迷光検出器３２〜３５の平面形状を正方形としたが、正方形領域Ｕ０を四隅が面取りされた正方形としたり、各迷光検出器３２〜３５の平面形状を三角形や円形など種々の形状としたりすることもできる。例えば、図８に示すように、正方形領域Ｕ０を四隅が面取りされた正方形とし、かつ各迷光検出器３２〜３５の平面形状を頂角側の頂点が原点Ｇに向く二等辺三角形に形成する構成を採用することもでき、この構成によれば、同図に示すように、正方形領域Ｕ０における各対角線Ｒ４，Ｒ５の長さをより短くできる結果、光検出器５の外形をより小さくすることができる。このため、より外形の小さなビームスポットＳＰｒであっても、その中に光検出器５全体を含ませることができる結果、より層間隔の狭い光情報媒体に対しても迷光成分の含まれない再生信号ＲＦを生成することができ、これにより、光情報媒体１１に記憶されている情報を正確に読み出すことができる。
【００４３】
また、例えば、上記の例では、２組の対角象限に含まれる４つの迷光検出器３２〜３５から出力される４つの電気信号（電気信号Ｓａｓ，Ｓｂｓ，Ｓｃｓ，Ｓｄｓ）の和のｋ１倍を、メイン検出器３１から出力される各電気信号Ｓａ〜Ｓｄの総和から減算して再生信号ＲＦを生成しているが、対物レンズ３のレンズシフトに起因して光検出器５上において各迷光のビームスポットＳＰが大きくシフト（移動）して、各迷光のビームスポットＳＰのうちのいずれか（例えば、ビームスポットＳＰｒやビームスポットＳＰｆ）が、迷光検出器３２〜３５のうちのいずれかの迷光検出器の一部に照射されない状態となる場合も想定される。
【００４４】
しかしながら、この場合にも、楕円形の各迷光のビームスポットＳＰのシフト方向は概ねその長軸方向に沿った方向となるため、一部に迷光のビームスポットＳＰが照射されない状態となった迷光検出器が含まれる象限と対角の位置にある象限内に含まれる迷光検出器にはすべての迷光のビームスポットＳＰが照射されている状態が維持されている。つまり、４つの迷光検出器のうちの少なくとも１つは常に迷光のビームスポットＳＰが照射されている状態が維持されている。したがって、処理部７が、４つの迷光検出器３２〜３５から出力される各電気信号Ｓａｓ〜Ｓｄｓのうちのレベル（振幅）の最大の電気信号を特定してそのレベルを４倍し、さらにｋ１倍すると共に、これをメイン検出器３１から出力される各電気信号Ｓａ〜Ｓｄの総和から減算して再生信号ＲＦを生成するという構成を採用することもできる。この構成によれば、対物レンズ３のレンズシフトの影響をさらに低減することができる結果、正確な再生信号ＲＦを一層安定して生成することができる。
【００４５】
また、光路Ｒ１の中心Ｇを原点とした直交座標におけるすべての象限（４つの象限）に迷光検出器を配置する構成について上記したが、対物レンズ３によるレンズシフトの影響が少なく、このため、光検出器５上での各迷光のビームスポットＳＰのシフト量が少ない場合には、迷光検出器を配置する象限の数を減少させることもできる。例えば、隣接する２つの象限にのみ迷光検出器を配置する構成や、さらには１つの象限にのみ迷光検出器を配置する構成を採用することもできる。この場合、メイン検出器３１における迷光検出器を配置しない象限に位置する受光領域の形状は、分割領域全体に亘る正方形とする。この構成によれば、迷光検出器の数を減少させることができるため、光検出器５の構成、ひいては光ピックアップ装置１全体の構成を簡略化することができる。また、上記の例では、４つの記録層Ｌ３，Ｌ２，Ｌ１，Ｌ０を含む光情報媒体１１を例に挙げて説明したが、２層や３層の記録層を備えた光情報媒体や、５層以上の記録層を備えた光情報媒体に対しても、光ピックアップ装置１を使用することができる。
【００４６】
また、一例として、再生信号ＲＦ、トラッキングエラー信号ＴＥおよびフォーカスエラー信号ＦＥの生成を１つの光ビームに基づいて行う１ビーム方式の光ピックアップ装置１を例に挙げて説明したが、本発明は１ビーム方式の光ピックアップ装置に限定されず、メイン検出器の他に２つのサブ検出器を備えて構成される３ビーム方式の光ピックアップ装置のメイン検出器に対して適用できるのは勿論である。本願発明をこの３ビーム方式の光ピックアップ装置のメイン検出器に適用することで、この光ピックアップ装置においても、再生信号ＲＦに含まれる迷光成分をキャンセルできて、正確な再生信号ＲＦを生成することが可能となる。
【００４７】
また、上記の各構成では、光路Ｒ１の中心Ｇを原点とする平面ＰＬ上の直交座標内に重心がこの原点Ｇと一致し、かつ四辺が直交座標のいずれかの軸線（仮想軸線Ｒ２，Ｒ３）と平行となる正方形領域（または隅部が面取りされた正方形領域）Ｕ０を規定し、この正方領域の四隅のうちの少なくとも１つに迷光検出器を配置すると共に、各象限に位置する正方形領域Ｕ０の各領域内にメイン検出器３１の各受光領域３１ａ〜３１ｄを受光面積が同一となる状態で配設することで、迷光検出器およびメイン検出器３１を含む光検出器５全体の外形（正方形領域Ｕ０の外形）を小さくして、各記録層の間隔が狭い光情報媒体に対しても、すべての迷光のビームスポットＳＰ内に光検出器５全体を含ませるようにしたが、すべての迷光のビームスポットＳＰのうちの短軸長が最短となるビームスポットＳＰｒ（短軸長ａ）に着目し、図９に示すように、ビームスポットＳＰｒと、仮想軸線Ｒ２を基準としてビームスポットＳＰｒを線対称移動させた図形（仮想ビームスポット）ＳＰｒ１（同図中において破線で示した図形）を考え、両ビームスポットＳＰｒ，ＳＰｒ１の重複領域Ｕ１０（両ビームスポットＳＰｒ，ＳＰｒ１の各交点Ｊ１，Ｊ２，Ｊ３，Ｊ４を結ぶ曲線で囲まれた領域）における各象限に含まれる各領域Ｕ１１，Ｕ１２，Ｕ１３，Ｕ１４内に、メイン検出器３１の各受光領域３１ａ〜３１ｄを受光面積が同一で、かつ外形が正方形となる状態で配設すると共に、各領域Ｕ１１，Ｕ１２，Ｕ１３，Ｕ１４のうちの少なくとも１つの領域内に迷光検出器を配置して光検出器１５を構成することもできる。この場合、各領域Ｕ１１，Ｕ１２，Ｕ１３，Ｕ１４のうちの隣接する２つの領域に亘るように迷光検出器を配置してもよいのは勿論である（後述する各光検出器１６〜１８を備えた構成においても同様である）。一例として、光検出器１５では、メイン検出器３１が重複領域Ｕ１０に内接し（メイン検出器３１の対角線がビームスポットＳＰｒの短軸長ａと一致し）、かつ各領域Ｕ１１，Ｕ１２，Ｕ１３，Ｕ１４内におけるメイン検出器３１の外部領域内に、受光面積が同一に構成された迷光検出器３５，３２，３３，３４が配置されている。なお、同図に示す各領域Ｕ１１，Ｕ１２，Ｕ１３，Ｕ１４内における迷光検出器３５，３２，３３，３４の配置は一例であり、他の位置に配置してもよいのは勿論である。例えば、互いに接した状態で配置されている迷光検出器３５，３２を１つの迷光検出器で構成して、隣接する２つの領域Ｕ１１，Ｕ１２に亘る配置とすることもできる。また、ビームスポットＳＰｒは、その短軸長ａがメイン検出器３１の対角線と同じ長さとなり、その長軸長は光学系６の復路光学倍率β１（センサレンズ２４のレンズ倍率β２を含む倍率）で一義的に決定される。
【００４８】
この構成においても、上記した光検出器５と同様にして、各記録層の間隔が狭い光情報媒体に対しても、すべての迷光のビームスポットＳＰ内に光検出器１５全体を含むことになるため、層間隔の狭い光情報媒体に対しても迷光成分の含まれない再生信号ＲＦを生成することができ、これにより、光情報媒体１１に記憶されている情報を正確に読み出すことができる。なお、再生信号ＲＦの生成に際しては、光検出器５を使用する構成と同様にして、メイン検出器３１の総受光面積を迷光検出器３２〜３５の総受光面積で除算して得られる係数ｋ１を使用する。この係数ｋ１を使用して再生信号ＲＦを生成する構成については、後述する各光検出器１６〜１８を備えた構成においても同様である。
【００４９】
また、光検出器の他の例として、図１０に示す光検出器１６のように、短軸長が最短となるビームスポットＳＰｒ（短軸長ａ）に内接するように、受光面積が同一で、かつ外形が正方形となる各受光領域３１ａ〜３１ｄで構成されたメイン検出器３１を配置し、メイン検出器３１の各角部（頂部）をＣＰ１，ＣＰ２，ＣＰ３，ＣＰ４とし、かつ各受光領域３１ａ〜３１ｄを区画する仮想軸線Ｒ２，Ｒ３とビームスポットＳＰｒとの交点をＪ１，Ｊ２，Ｊ３，Ｊ４（上記したように、各ビームスポットＳＰｒ，ＳＰｒ１同士の交点でもある）としたときに、各点ＣＰ１，Ｊ１，ＣＰ２，Ｊ２，ＣＰ３，Ｊ３，ＣＰ４，Ｊ４を結ぶ直線（同図では破線で示されている）で囲まれた領域Ｕ２０におけるメイン検出器３１の外部領域内に迷光検出器を配置した構成とすることもできる。この光検出器１６では、一例として、領域Ｕ２０における各象限に含まれる各領域Ｕ２１，Ｕ２２，Ｕ２３，Ｕ２４内に、受光面積が同一に構成された迷光検出器３５，３２，３３，３４が配置されているが、迷光検出器は各領域Ｕ２１，Ｕ２２，Ｕ２３，Ｕ２４のうちの少なくとも１つに配設されていればよい。
【００５０】
また、図１０に示す領域Ｕ２０は、図９に示す重複領域Ｕ１０に必ず含まれるため、この領域２０内に含まれるように構成された光検出器１６は、上記した光検出器１５と同様にして、各記録層の間隔が狭い光情報媒体に対しても、すべての迷光のビームスポットＳＰ内に全体が含まれるため、層間隔の狭い光情報媒体に対しても迷光成分の含まれない再生信号ＲＦを生成することができ、これにより、光情報媒体１１に記憶されている情報を正確に読み出すことができる。
【００５１】
また、センサレンズ２４を有して対物レンズ３で受光した光情報媒体１１からの戻り光ビームを光検出器５に対して非点収差を付与した状態で投射する光学系６を備えた例について上記したが、この光学系６に代えて、光情報媒体１１からの戻り光ビームを光検出器５に対して非点収差を付与せずに投射する構成（センサレンズ２４を有さない構成）の光学系を備えた構成とすることもできる。
【００５２】
また、このような非点収差を付与せずに投射する構成、すなわち、図１１に示すように、ほぼ円形の戻り光ビームのビームスポットＳＰを投射する構成においても、光検出器１７のように、受光面積が同一で、かつ外形が正方形となる各受光領域３１ａ〜３１ｄで構成されたメイン検出器３１と、このメイン検出器３１が内接するビームスポットＳＰ（外形が最小のビームスポットＳＰ）の内部領域Ｕ３０における各象限に含まれる各領域Ｕ３１，Ｕ３２，Ｕ３３，Ｕ３４のうちの少なくとも１つの領域内に配設された迷光検出器とで光検出器を構成することもできる。一例として、光検出器１７では、受光面積が同一に構成された迷光検出器３５，３２，３３，３４が、各領域Ｕ３１，Ｕ３２，Ｕ３３，Ｕ３４におけるメイン検出器３１の外部領域内にそれぞれ配設されている。
【００５３】
さらに、図１２に示す光検出器１８のように、非点収差を付与せずにビームスポットＳＰを投射する構成において、ビームスポットＳＰに内接するようにメイン検出器３１を構成し、メイン検出器３１の各角部（頂部）をＣＰ１，ＣＰ２，ＣＰ３，ＣＰ４とし、かつ各受光領域３１ａ〜３１ｄを区画する仮想軸線Ｒ２，Ｒ３とビームスポットＳＰとの交点をＪ１，Ｊ２，Ｊ３，Ｊ４としたときに、各点ＣＰ１，Ｊ１，ＣＰ２，Ｊ２，ＣＰ３，Ｊ３，ＣＰ４，Ｊ４を結ぶ直線（同図では破線で示されている）で囲まれた領域Ｕ４０におけるメイン検出器３１の外部領域内に迷光検出器を配置した構成とすることもできる。この光検出器１８では、一例として、領域Ｕ４０における各象限に含まれる各領域Ｕ４１，Ｕ４２，Ｕ４３，Ｕ４４内に、受光面積が同一に構成された迷光検出器３５，３２，３３，３４が配置されているが、迷光検出器は各領域Ｕ４１，Ｕ４２，Ｕ４３，Ｕ４４のうちの少なくとも１つに配設されていればよい。
【図面の簡単な説明】
【００５４】
【図１】光ピックアップ装置１の構成図である。
【図２】光情報媒体１１における各記録層Ｌ３，Ｌ２，Ｌ１，Ｌ０の構成を示す説明図である。
【図３】光検出器５および処理部７の構成を示すブロック図である。
【図４】各迷光検出器３２〜３５の正方形領域Ｕ０内での配置を示す説明図である。
【図５】メイン検出器３１の各受光領域３１ａ〜３１ｄについての正方形領域Ｕ０内での配置を示す説明図である。
【図６】光学系６から光検出器５に投射される戻り光ビームについてのビームスポットＳＰの形状の様子を説明するための説明図である。
【図７】ビームスポットＳＰｒ，ＳＰｆと光検出器５との関係を説明するための説明図である。
【図８】ビームスポットＳＰｒ，ＳＰｆと他の光検出器５との関係を説明するための説明図である。
【図９】ビームスポットＳＰｒ，ＳＰｒ１と光検出器１５との関係を説明するための説明図である。
【図１０】ビームスポットＳＰｒと光検出器１６との関係を説明するための説明図である。
【図１１】ビームスポットＳＰｒと光検出器１７との関係を説明するための説明図である。
【図１２】ビームスポットＳＰｒと光検出器１８との関係を説明するための説明図である。
【図１３】従来の光ピックアップ装置での受光素子５１の構造を示す平面図である。
【図１４】図１３の受光素子５１と、非点収差が付与された迷光の照射領域ＳＰｘとの関係を示す平面図である。
【符号の説明】
【００５５】
１  光ピックアップ装置
２  光源
３  対物レンズ
５  光検出器
６  光学系
７  処理部
１１  光情報媒体
３１  メイン検出器
３１ａ〜３１ｄ  受光領域
３２〜３５  迷光検出器
Ｇ  原点
Ｌ０〜Ｌ３  記録層
Ｒ２，Ｒ３  仮想軸線
ＲＦ  再生信号
Ｓａ〜Ｓｄ  電気信号
Ｓａｓ〜Ｓｄｓ  電気信号
【図１】
2009110590.tif 000003
【図２】
2009110590.tif 000004
【図３】
2009110590.tif 000005
【図４】
2009110590.tif 000006
【図５】
2009110590.tif 000007
【図６】
2009110590.tif 000008
【図７】
2009110590.tif 000009
【図８】
2009110590.tif 000010
【図９】
2009110590.tif 000011
【図１０】
2009110590.tif 000012
【図１１】
2009110590.tif 000013
【図１２】
2009110590.tif 000014
【図１３】
2009110590.tif 000015
【図１４】
2009110590.tif 000016